(57)【要約】【課題】従来の洗浄装置は、電子基板や電子部品などの洗浄にしか使用できず、上水や下水処理プラントなどの水質計器においては活用できず洗浄効果が十分に行えない問題点があった。【解決手段】水質を検知する水質計器２のセンサ部２１を洗浄する第１の洗浄手段３及びこの第１の洗浄手段とは洗浄方式の異なる上記水質計器２のセンサ部２１を洗浄する第２の洗浄手段４と、これら第１及び第２の洗浄手段を制御する制御手段５とを備えるようにしたことを特徴とするものである。【選択図】図１
2009202098.tif 000002
【特許請求の範囲】
【請求項１】
水質計器のセンサ部を洗浄する第１の洗浄手段及びこの第１の洗浄手段とは洗浄方式の異なる第２の洗浄手段と、これら第１及び第２の洗浄手段を制御する制御手段とを備えたことを特徴とする水質計器の洗浄装置。
【請求項２】
上記制御手段は、上記第１の洗浄手段と上記第２の洗浄手段を交互に動作させることを特徴とする請求項１に記載の水質計器の洗浄装置。
【請求項３】
上記制御手段は、上記第１の洗浄手段の動作時間に対する上記第２の洗浄手段の動作時間を任意に設定し得ることを特徴とする請求項１または請求項２に記載の水質計器の洗浄装置。
【請求項４】
上記第１の洗浄手段及び上記第２の洗浄手段の少なくとも一方は、洗浄液をジェット噴射させるジェット洗浄装置としたことを特徴とする請求項１から請求項３の何れかに記載の水質計器の洗浄装置。
【請求項５】
上記ジェット洗浄装置は複数のノズル穴を備え、各ノズル穴は噴射された洗浄液が噴射方向前方の略１点に集中するように配置されていることを特徴とする請求項４に記載の水質計器の洗浄装置。
【請求項６】
上記複数のノズル穴が少なくとも所定角度は回転できるように構成されていることを特徴とする請求項５に記載の水質計器の洗浄装置。
【請求項７】
上記ジェット洗浄装置から噴射される洗浄液の勢いが可変に構成されていることを特徴とする請求項４から請求項６の何れかに記載の水質計器の洗浄装置。
【請求項８】
上記第１の洗浄手段及び上記第２の洗浄手段と洗浄方式の異なる第３の洗浄手段を備えたことを特徴とする請求項１から請求項７の何れかに記載の水質計器の洗浄装置。
【発明の詳細な説明】
【技術分野】
【０００１】
この発明は、特に水質計器のセンサ部分の洗浄に適した水質計器の洗浄装置に関するものである。
【背景技術】
【０００２】
従来の洗浄装置として、基板の主面をブラシでこすって洗浄し、それと同時に超音波で振動した洗浄液を当該基板の主面に供給して洗浄することにより、前記基板の主面に付着するゴミおよび前記ブラシから取れた繊維を除去する基板洗浄方法がある（例えば特許文献１参照。）。また、一方の流路から気液混合室に導入した高圧の気体と他方の流路から該気液混合室に導入した高圧の液体とを気液混合室で混合して液体ミストを形成し、該ミストに加速室で運動量を付与してミスト流を形成し、該ミスト流をノズル先端から噴出して被洗浄物に衝突させるとともに、該ノズルと該被洗浄物を相対運動して洗浄する洗浄方法などもある（例えば特許文献２参照。）。
【０００３】
【特許文献１】特開平１１−８７２８８号公報（第１頁、図２）
【特許文献２】特開２００２−１１４１９号公報（第１頁、図１）
【発明の開示】
【発明が解決しようとする課題】
【０００４】
上記のような従来の洗浄装置は、被洗浄物が基板や電子部品などを対象としたもので、それら基板や電子部品などの洗浄には有用であるものの、例えば上水や下水処理などの水質計器の洗浄においては、汚染の程度が悪いこともあって洗浄効果が不十分であるという問題があった。
【０００５】
この発明は上記のような実情に鑑みてなされたものであり、特に水質計器のセンサ部の洗浄において洗浄効果が高く、水質計器のメンテナンスを容易にし得る水質計器の洗浄装置を提供することを目的としている。
【課題を解決するための手段】
【０００６】
この発明による水質計器の洗浄装置は、水質計器のセンサ部を洗浄する第１の洗浄手段及びこの第１の洗浄手段とは洗浄方式の異なる第２の洗浄手段と、これら第１及び第２の洗浄手段を制御する制御手段とを備えたことを特徴とするものである。
【発明の効果】
【０００７】
この発明においては、洗浄方式の異なる複数の洗浄手段を備えたことにより、水質計器に対する洗浄効果が高まり水質計器のメンテナンスが容易になるという効果が得られる。
【発明を実施するための最良の形態】
【０００８】
実施の形態１．
図１は、この発明の実施の形態１に係る水質計器の洗浄装置を概念的に示す構成図である。図において、水質計器の洗浄装置１は、例えば河川や浄水場、あるいは下水や工場排水等の水処理プラントなどにおいて水質を管理するために用いられるセンサ２１が取り付けられた水質計器２に対し、近接して配置し得るように設けられた第１の洗浄手段であるジェット洗浄装置３と、第２の洗浄手段である超音波洗浄装置４と、これらジェット洗浄装置３及び超音波洗浄装置４を制御する制御手段５から構成されている。ジェット洗浄装置３の先端部には、浄水などの水あるいは洗浄剤を混合した洗浄水などの洗浄液３１ａをセンサ２１部に向けて勢いよく噴射するための噴射ノズル３１がセンサ２１に対向するように設けられている。また、超音波洗浄装置４の先端部にはセンサ２１部に向けて超音波４１ａを放射する超音波発振器４１が設けられている。
【０００９】
洗浄装置１は、ジェット洗浄装置３及び超音波洗浄装置４部分が水質計器２の側方部あるいは周囲部に位置するように形成され、洗浄を例えば浄水中または洗浄液中でも行えるようにそれぞれ所定長の筒状の保持部材３２、４２を用いて構成されている。また、超音波洗浄装置４は、浄水または洗浄液を介してセンサ２１に超音波４１ａを放射し、ジェット洗浄装置３の噴射ノズル３１から噴射される液体と協同してセンサ２１部を洗浄するように構成されている。
【００１０】
次に上記のように構成された実施の形態１の動作について説明する。ジェット洗浄装置３の噴射ノズル３１の噴射方向、及び超音波発振器４１の超音波４１ａの放射方向が水質計器２のセンサ２１に対向するように洗浄装置１を水質計器２に取り付ける。そして、制御手段５によりジェット洗浄装置３及び超音波洗浄装置４を作動させ、洗浄液３１ａをセンサ２１に噴射すると同時に、超音波４１ａをセンサ２１に放射することによって洗浄を開始し、センサ２１に付着しあるいはこびり付いた図示省略しているぬめり、様々なごみ、髪の毛などの異物を除去する。ジェット洗浄装置３のみによる洗浄方式に比べ、被洗浄物であるセンサ２１が超音波洗浄装置４によって振動しているので相乗効果により付着した汚れの落ちが促進される。なお、ジェット洗浄装置３に用いる洗浄液３１ａは、センサ２１部の汚れの種類、程度に応じて適宜変更可能であり、例えば浄水のみの使用でも良いし、切替バルブ（図示省略）を設け、制御手段５によって最初に洗剤等の洗浄材を含む洗浄液を噴射し、途中から浄水に切り替えるように制御しても良い。
【００１１】
上記のように実施の形態１によれば、水質計器２のセンサ２１部を洗浄するための洗浄装置として、洗浄方式の異なるジェット洗浄装置３及び超音波洗浄装置４を用いて構成したことにより、互いに異なる２つの洗浄作用が相乗されて洗浄効果が高められ、一つの洗浄方式では十分な効果が発揮し得なかった汚染物の除去が可能となり、より高い洗浄効果を有する洗浄装置が得られる。なお、超音波洗浄装置４は洗浄液を噴射し、その噴射する洗浄液に超音波振動を与えるようにしたものでも差支えない。
【００１２】
実施の形態２．
図２は、この発明の実施の形態２に係る洗浄装置の動作を概略的に示すチャート図である。なお、洗浄装置としては、例えば上記実施の形態１に係る図１に示されたものと同様の互いに異なる２つの洗浄方式を採用したものを用いる。図において、横軸は時間を示しており、第１の洗浄方式を用いる第１の洗浄手段３０と、第２の洗浄方式を用いる第２の洗浄手段４０とは、図示省略している制御手段に対して運転時間がそれぞれｔ１とｔ２に設定され（ｔ１≒ｔ２）、該制御手段は図に示すように、第１の洗浄手段３０と第２の洗浄手段４０を交互に反復して動作させるようにしたものである。
このように構成された実施の形態２においては、洗浄装置の電力消費を削減でき、また例えば洗浄方式としてブラシ洗浄のような消耗部材を用いる方式を採用した場合、そのブラシなどの消耗部材の磨耗による劣化の進行を抑制できる効果がある。なお、上記図２のような交互反復動作に、第１の洗浄手段３０と第２の洗浄手段４０を同時に運転する動作をシーケンス中に加えても良い。
【００１３】
実施の形態３．
図３は、この発明の実施の形態３に係る洗浄装置の動作を概略的に示すチャート図であり、実施の形態２の変形例に相当する。この実施の形態３では、方式の異なる洗浄手段を１つずつ交互に反復して行うことは実施の形態２と同様であるが、洗浄時間（周期）を可変に行うものである。即ち、第１の洗浄方式を用いる第１の洗浄手段３０の運転時間はｔ３、第２の洗浄方式を用いる第２の洗浄手段４０の運転時間はｔ４に設定されている（ｔ３＞ｔ４）。なお、運転時間ｔ３及びｔ４は制御手段５（図１）に対して任意に設定可能である。
上記のように構成された実施の形態３においては、上記実施の形態２と同様の効果が得られる他、水質計器の種類、例えばｐＨ、ＯＲＰ（酸化還元電位計）、ＤＯ（溶存酸素）、ＭＬＳＳ（曝気槽に流入する下水と活性汚泥との混合液中の懸濁物質）等によって、洗浄時間（周期）を長くしたり短くしたりすることで、洗浄効果を最適化することが容易である。なお、上記図３のような交互反復動作に、第１の洗浄手段３０と第２の洗浄手段４０を同時に運転する動作を実施の形態２と同様にシーケンス中に加えても良い。
【００１４】
実施の形態４．
図４は、この発明の実施の形態４に係る洗浄装置の要部を概念的に示す図であり、（ａ）は洗浄液の噴射強度が「弱」、（ｂ）は同じく「強」の状態を示している。図において、第１の洗浄手段であるジェット洗浄装置３は、図４（ａ）のように噴射ノズル３１から「弱」状態の洗浄液３１ｂを噴射する第１のモードと、図４（ｂ）のように噴射ノズル３１から「強」状態の洗浄液３１ｃを噴射する第２のモードを切り替え、あるいは段階的または連続的に一方から他方に変化させることができる機能を有している。また、洗浄方式の異なる第２の洗浄手段については、所望の任意の洗浄方式を選ぶことができるものであり、ここでは制御手段と共に図示省略している。その他は実施の形態１と同様であるので説明を省略する。
【００１５】
上記のように構成された実施の形態４においては、互いに異なる２つの洗浄方式の内、少なくとも１つをジェット洗浄装置３にし、センサ２１に噴射する洗浄液の勢いを強、弱の範囲で任意に可変できるようにしたので、例えばぬめりなどの汚染が弱い時には洗浄液の段階を弱く、強い時には段階を強くするというように、汚染の度合いに応じて洗浄能力を変えることができるので洗浄液の利用を効率的にできる効果がある。
【００１６】
実施の形態５．
図５は、この発明の実施の形態５に係る洗浄装置の要部を概念的に示す構成図である。この実施の形態５は互いに洗浄方式が異なる３つの洗浄手段を組み合わせたものであり、洗浄装置１Ａは図１と同様の構成に、第３の洗浄手段である回転ブラシ式洗浄装置６を追加したものである。回転ブラシ式洗浄装置６は、先端部に設けた回転ブラシ６１に取り付けられた刷毛６１ａの先端部がセンサ２１の表面を拭うように回転し、第１の洗浄方式のジェット洗浄装置３と第２の洗浄手段の超音波洗浄装置４と協同してそれぞれの洗浄手段の相乗効果により洗浄効果を高めるようにしたものである。その他の構成は実施の形態１と同様であるので説明を省略する。
【００１７】
上記のように構成された実施の形態５においては、洗浄方式が互いに異なる、３つの洗浄手段、即ち、ジェット洗浄装置３＋超音波洗浄装置４＋回転ブラシ式洗浄装置６、を用いて構成したので、センサ２１部の汚染の態様、程度に応じて３つの洗浄手段を適宜組み合わせ、同時に駆動する洗浄手段の数、駆動の順番、タイミング、駆動時間、及び強度などをそれぞれ所望の条件に組み合わせることで、最適な洗浄結果が得られるように構成できる。例えば、汚れの程度が軽く、ジェット洗浄装置３＋超音波洗浄装置４の使用のみで洗浄できるときは回転ブラシ式洗浄装置６を退避させておき、また、汚れが軽度に見えても回転ブラシ式洗浄装置６を用いないと除去できないときは例えばボタン（図示省略）を押すだけで回転ブラシ式洗浄装置６を追加して洗浄動作を行わせるなどの選択ができる。なお、予め例えば水質計器２の種類、使用環境（被測定水の水質）、汚れの種類等を経験値、実測値等に基づいて分類する一方、３つの洗浄手段の様々な運転条件をパターン化して制御手段に登録しておき、操作員が適宜パターンを選択して動作させるように構成することもできる。
【００１８】
実施の形態６．
図６は、この発明の実施の形態６に係る洗浄装置の要部を概念的に示す構成図である。この実施の形態６は、第１の洗浄手段として用いるジェット洗浄装置３の噴射ノズル３１Ａとして、複数のノズル穴（詳細図示省略）を有し、しかも各ノズル穴から噴射される洗浄液が直線状で噴射方向前方の略１点に集中するように該複数のノズル穴を噴射ノズル３１Ａに凹面状に配置したものである。なお、洗浄方式の異なる第２の洗浄手段については、所望の任意の洗浄方式を選ぶことができるものであり、ここでは制御手段と共に図示省略している。その他の構成は実施の形態１と同様であるので説明を省略する。
上記のように構成された実施の形態６は、洗浄液が噴射ノズル３１Ａの複数のノズル穴から噴射方向前方の略１点に集中するように噴射されるので洗浄効果が高く、センサ２１にこびり付いた落ちにくい汚れも落とすことができる。従って、洗浄液の強いエネルギーが必要な場合や、水質計器２のセンサ２１の洗浄面積が狭い場合などに好適に用いることができる。
【００１９】
実施の形態７．
図７は、この発明の実施の形態７に係る洗浄装置を説明する図であり、（ａ）はその要部を概念的に示す構成図、（ｂ）は噴射ノズル部を噴射方向から見た概念図である。この実施の形態７のジェット洗浄装置３Ｂは、実施の形態６に用いたものと同様の複数のノズル穴３１ｈを有する噴射ノズル３１Ａを凹面の中心軸Ｏのまわりに矢印のように旋回回転させる駆動装置３３を設けたものである。その他の構成は実施の形態６と同様であるので説明を省略する。
上記のように構成された実施の形態７においては、センサ２１に対して噴射ノズル３１Ａの複数のノズル穴３１ｈから噴射される洗浄液３１ｅを、駆動装置３３によって中心軸Ｏの周りに回転させ、あるいは少なくとも所定角度は回転するように駆動することにより、噴射された洗浄液流の揺らぎを大きくすることができ、センサ２１に対する洗浄効果を一層高めることができる。なお、噴射ノズル３１Ａを保持部材３２の軸θのまわりに少なくとも所定角度（例えば９０度）は回転できるようにし、所定角度の往復の回動を繰り返すようにしても良い。旋回と往復の回動を切り替えできるようにしても良い。
【００２０】
なお、この発明において用いることができる洗浄手段は上記実施の形態１〜７で例示した、ジェット洗浄装置３、超音波洗浄装置４、または回転ブラシ式洗浄装置６に限定されるものではないことは言うまでもなく、例えば微小な泡を含む洗浄液を噴射させるバブルジェット（登録商標）式洗浄装置、洗浄液をミスト状に噴射させるミスト式洗浄装置、微小な氷塊を噴射させる洗浄装置など公知の各種洗浄手段を用いても差し支えない。
【図面の簡単な説明】
【００２１】
【図１】この発明の実施の形態１に係る水質計器の洗浄装置を概念的に示す構成図。
【図２】この発明の実施の形態２に係る洗浄装置の動作を概略的に示すチャート図。
【図３】この発明の実施の形態３に係る洗浄装置の動作を概略的に示すチャート図。
【図４】この発明の実施の形態４に係る洗浄装置の要部を概念的に示す図であり、（ａ）は洗浄液の噴射強度が「弱」、（ｂ）は同じく「強」の状態を示す。
【図５】この発明の実施の形態５に係る洗浄装置の要部を概念的に示す構成図。
【図６】この発明の実施の形態６に係る洗浄装置の要部を概念的に示す構成図。
【図７】この発明の実施の形態７に係る洗浄装置を説明する図であり、（ａ）はその要部を概念的に示す構成図、（ｂ）は噴射ノズル部を噴射方向から見た概念図。
【符号の説明】
【００２２】
１、１Ａ  洗浄装置、  ２  水質計器、  ２１  センサ、  ３、３Ａ、３Ｂ  ジェット洗浄装置（第１の洗浄手段）、  ３０  第１の洗浄手段、  ３１、３１Ａ  噴射ノズル、  ３１ａ、３１ｄ、３１ｅ  洗浄液、  ３１ｂ  「弱」状態の洗浄液、  ３１ｃ  「強」状態の洗浄液、  ３１ｈ  ノズル穴、  ３２  保持部材、  ３３  駆動装置、  ４  超音波洗浄装置（第２の洗浄手段）、  ４０  第２の洗浄手段、  ４１  超音波発振器、  ４１ａ  超音波、  ４２  保持部材、  ５  制御手段、  ６  回転ブラシ式洗浄装置、  ６１  回転ブラシ、  ６１ａ  刷毛。
【図１】
2009202098.tif 000003
【図２】
2009202098.tif 000004
【図３】
2009202098.tif 000005
【図４】
2009202098.tif 000006
【図５】
2009202098.tif 000007
【図６】
2009202098.tif 000008
【図７】
2009202098.tif 000009